(57)【要約】【課題】ロックを解除する手間を軽減することが可能な携帯端末装置を提供する。【解決手段】携帯端末装置１００は、モニタ４４０と、モニタ４４０を照明する光源４３０と、光源４３０の点灯時間４１１を格納する記憶部４１０と、光源の輝度を制御する制御部４２０と、携帯端末装置１００に対する操作を受け付ける操作部４００とを備える。制御部４２０は、当該操作に基づいて、光源４３０の輝度を第１の輝度値に設定する。当該操作が一定時間行われない場合には、制御部４２０は、光源の輝度を第１の輝度値よりも低い第２の輝度値に設定する。一定時間内に行われた当該操作の頻度が予め定められた頻度よりも高い場合には、制御部４２０は、一定時間または操作の頻度に応じた時間、点灯時間４１１を長くする。光源４３０の輝度値が第２の輝度値に設定されてから当該操作が点灯時間４１１の間行われない場合には、制御部４２０は、光源４３０を消灯する。【選択図】図４
2014138367.tif 000002
【特許請求の範囲】
【請求項１】
携帯端末装置であって、
モニタと、
前記モニタを照明するための光源と、
前記光源の点灯時間を格納するための記憶部と、
前記光源の輝度を制御するための制御部と、
前記携帯端末装置に対する操作を受け付けるための操作部とを備え、
前記制御部は、
前記携帯端末装置に対する操作に基づいて、前記光源の輝度を第１の輝度値に設定し、
前記携帯端末装置に対する操作が一定時間行われない場合には、前記光源の輝度を前記第１の輝度値よりも低い第２の輝度値に設定し、
前記携帯端末装置に対して一定時間内に行われた操作の頻度が予め定められた頻度よりも高い場合には、一定時間または前記操作の頻度に応じた時間、前記点灯時間を長くし、
前記光源の輝度値が前記第２の輝度値に設定されてから前記携帯端末装置に対する操作が前記点灯時間の間行われない場合には、前記光源を消灯するように構成されている、携帯端末装置。
【請求項２】
前記制御部は、前記携帯端末装置に対して前記一定時間内に行われた操作の頻度が、予め定められた頻度よりも低い場合には、一定時間または前記操作の頻度に応じた時間、前記点灯時間を短くするように構成されている、請求項１に記載の携帯端末装置。
【請求項３】
前記制御部は、前記一定時間に占める、前記光源の輝度が前記第１の輝度値であった時間の割合に基づいて、前記操作の頻度を算出するように構成されている、請求項１または２に記載の携帯端末装置。
【請求項４】
前記制御部は、前記光源の輝度値を前記第２の輝度値から段階的に下げて前記光源を消灯するように構成されている、請求項１〜３のいずれか１項に記載の携帯端末装置。
【請求項５】
携帯端末装置であって、
前記携帯端末装置に対する操作を受け付けるための操作部と、
前記操作部に対する操作を許可するか禁止するかを切り替えるための制御部と、
前記操作部に対する操作が可能な時間を規定する操作可能時間を格納するための記憶部とを備え、
前記制御部は、
前記携帯端末装置に対して一定時間内に行われた操作の頻度が予め定められた頻度よりも高い場合には、一定時間または前記操作の頻度に応じた時間、前記操作可能時間を長くし、
前記携帯端末装置に対する操作が前記操作可能時間の間行われない場合には、前記操作部に対する操作を禁止するように構成されている、携帯端末装置。
【発明の詳細な説明】
【技術分野】
【０００１】
この発明は、携帯端末装置の制御に関し、特に、携帯端末装置のモニタを照明する光源の制御に関する。
【背景技術】
【０００２】
従来、携帯端末装置における光源を制御する技術について様々な提案がなされてきた。たとえば、特開２００４−２７４５７０号公報（特許文献１）は、「連続したキー入力を行う携帯機器において、キーバックライトにかかる消費電力を低減し、特にバッテリーを電源としている場合でも使用可能時間が長く、電池寿命の長期化を図った携帯機器」に関する技術を開示している。
【先行技術文献】
【特許文献】
【０００３】
【特許文献１】特開２００４−２７４５７０号公報
【発明の概要】
【発明が解決しようとする課題】
【０００４】
ところで、ユーザが携帯端末装置の操作を行わない状態が続くと、携帯端末装置のバックライトを消灯すると同時に携帯端末装置を操作できない状態（以下、「ロック状態」という）になることがある。これは、消費電力を低減し、セキュリティを向上するためである。
【０００５】
特許文献１に記載の携帯機器に対して間欠的に操作を行うと、当該携帯機器は頻繁にロック状態になる。このため、ユーザが当該携帯機器を使用する度に、ロックを解除する手間が生じる。したがって、ロックを解除する手間を軽減することが必要とされている。
【０００６】
この開示は上述のような問題点を解決するためになされたものであって、その目的は、ロックを解除する手間を軽減することが可能な携帯端末装置を提供することである。
【課題を解決するための手段】
【０００７】
一実施の形態に従うと、携帯端末装置は、モニタと、モニタを照明するための光源と、光源の点灯時間を格納するための記憶部と、光源の輝度を制御するための制御部と、携帯端末装置に対する操作を受け付けるための操作部とを備える。制御部は、携帯端末装置に対する操作に基づいて、光源の輝度を第１の輝度値（以下、「全点灯」ともいう）に設定するように構成されている。携帯端末装置に対する操作が一定時間行われない場合には、制御部は、光源の輝度を第１の輝度値よりも低い第２の輝度値（以下、「微点灯」ともいう）に設定するように構成されている。携帯端末装置に対して一定時間内に行われた操作の頻度が予め定められた頻度よりも高い場合には、制御部は、一定時間または操作の頻度に応じた時間、点灯時間を長くするように構成されている。光源の輝度値が第２の輝度値に設定されてから携帯端末装置に対する操作が点灯時間の間行われない場合には、制御部は、光源を消灯するように構成されている。
【０００８】
好ましくは、携帯端末装置に対して一定時間内に行われた操作の頻度が、予め定められた頻度よりも低い場合には、制御部は、一定時間または操作の頻度に応じた時間、点灯時間を短くするように構成されている。
【０００９】
好ましくは、制御部は、一定時間に占める、光源の輝度が第１の輝度値であった時間の割合に基づいて、操作の頻度を算出するように構成されている。
【００１０】
好ましくは、制御部は、光源の輝度値を第２の輝度値から段階的に下げて光源を消灯するように構成されている。
【００１１】
他の実施形態に従うと、携帯端末装置は、携帯端末装置に対する操作を受け付けるための操作部と、操作部に対する操作を許可するか禁止するかを切り替えるための制御部と、操作部に対する操作が可能な時間を規定する操作可能時間を格納するための記憶部とを備えるように構成されている。携帯端末装置に対して一定時間内に行われた操作の頻度が予め定められた頻度よりも高い場合には、制御部は、一定時間または操作の頻度に応じた時間、操作可能時間を長くするように構成されている。携帯端末装置に対する操作が操作可能時間の間行われない場合には、制御部は、操作部に対する操作を禁止するように構成されている。
【００１２】
ある局面において、ロック状態になる頻度を低減することができ、ユーザがロックを解除する手間が軽減される。
【図面の簡単な説明】
【００１３】
【図１】ある局面に従う携帯端末装置の光源に対する制御方法の概略を表す図である。
【図２】携帯端末装置１００の光源４３０に対する制御方法の概略を表す図である。
【図３】携帯端末装置１００のハードウェア構成の具体例を示すブロック図である。
【図４】携帯端末装置１００の機能構成の具体例を示すブロック図である。
【図５】携帯端末装置１００の光源４３０における制御の一態様を表す図である。
【図６】携帯端末装置１００における動作の流れを表わすフローチャートである。
【発明を実施するための形態】
【００１４】
以下、図面を参照しつつ、本実施の形態について説明する。以下の説明では、同一の部品および構成要素には同一の符号を付してある。それらの名称および機能も同じである。したがって、これらについての詳細な説明は繰り返さない。
【００１５】
[第１の実施の形態]
＜技術思想＞
図１および図２を参照して、本実施の形態に係る技術思想について説明する。図１は、ある局面に従う携帯端末装置の光源に対する制御方法の概略を表す図である。図２は、本実施の形態に係る携帯端末装置１００の光源に対する制御方法の概略を表す図である。
【００１６】
図１を参照して、時刻ｔ（１１）において、携帯端末装置に対する操作が中断される。時刻ｔ（１１）から時間Ｔ１が経過する間に携帯端末装置に対する操作が行われなければ、時刻ｔ（１２）において、光源が微点灯に設定される。時刻ｔ（１２）から時間Ｔ２が経過する間に携帯端末装置に対する操作が行われなければ、時刻ｔ（１３）において、光源が消灯される。時刻ｔ（１４）において、携帯端末装置に対する操作が行われ、光源が全点灯に設定される。
【００１７】
時刻ｔ（１５）において、ユーザが携帯端末装置に対する操作が中断される。時刻ｔ（１５）から時間Ｔ１が経過する間に携帯端末装置に対する操作が行われなければ、時刻ｔ（１６）において、光源が微点灯に設定される。時刻ｔ（１６）から時間Ｔ２が経過する間に携帯端末装置に対する操作が行われなければ、時刻ｔ（１７）において、光源が消灯される。時刻ｔ（１８）において、携帯端末装置に対する操作が行われ、光源が全点灯に設定される。
【００１８】
このように、携帯端末装置に対する操作が間欠的に行われる場合には、携帯端末装置の光源を消灯する頻度が増加する。つまり、ロック状態になる頻度が増加する。
【００１９】
そこで、図２を参照して、本実施の形態に係る携帯端末装置は、時刻ｔ（１６）において携帯端末装置に対する操作の頻度を算出する。そして、一定時間内に行われた当該頻度が予め定められた頻度よりも高い場合には、当該携帯端末装置は、一定時間または操作の頻度に応じた時間、光源が微点灯である時間を長くする。これにより、時刻ｔ（１６）からＴ３が経過して操作が再開される時刻ｔ（１８）まで、光源が消灯されない。つまり、携帯端末装置がロック状態になる頻度が減少する。
【００２０】
＜ハードウェア構成＞
図３を参照して、携帯端末装置１００のハードウェア構成について説明する。図３は、携帯端末装置１００のハードウェア構成の具体例を示すブロック図である。
【００２１】
携帯端末装置１００は、ＣＰＵ（Central  Processing  Unit）２０と、アンテナ２３と、通信装置２４と、操作キーなどのユーザインターフェイス２５と、カメラ２６と、フラッシュメモリ２７と、ＲＡＭ（Random  Access  Memory）２８と、ＲＯＭ（Read  Only  Memory）２９と、メモリカード駆動装置３０と、マイク３２と、スピーカ３３と、音声信号処理回路３４と、ディスプレイ３５と、ＬＥＤ（Light  Emitting  Diode）３６と、データ通信Ｉ／Ｆ（インターフェイス）３７と、バイブレータ３８とを備える。メモリカード駆動装置３０には、メモリカード３１が装着され得る。
【００２２】
携帯端末装置１００は、たとえば、スマートフォン、携帯電話、タブレット型端末、その他の情報処理端末である。
【００２３】
アンテナ２３は、基地局によって発信される信号を受信する。また、アンテナ２３は、基地局を介して他の通信装置と通信するための信号を送信する。アンテナ２３によって受信された信号は、通信装置２４によってフロントエンド処理が行なわれる。処理後の信号は、ＣＰＵ２０に送られる。
【００２４】
ＣＰＵ２０は、携帯端末装置１００に対して与えられる命令に基づいて携帯端末装置１００の動作を制御するための処理を実行する。携帯端末装置１００のアンテナ２３が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された処理を実行し、処理後の信号をスピーカ３３に送出する。スピーカ３３は、その信号に基づいて音声を出力する。
【００２５】
マイク３２は、携帯端末装置１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００２６】
フラッシュメモリ２７は、ＣＰＵ２０から送られるデータを格納する。ＣＰＵ２０は、フラッシュメモリ２７に格納されているデータを読み出し、そのデータを用いて予め規定された処理を実行する。
【００２７】
ＲＡＭ２８は、ＣＰＵ２０によって生成されるデータを一時的に保持する。ＲＯＭ２９は、携帯端末装置１００に予め定められた動作を実行させるためのプログラムあるいはデータを格納している。ＣＰＵ２０は、ＲＯＭ２９から当該プログラムまたはデータを読み出し、携帯端末装置１００の動作を制御する。
【００２８】
メモリカード駆動装置３０は、メモリカード３１に格納されているデータを読み出し、読み出したデータをＣＰＵ２０に送出する。メモリカード駆動装置３０は、ＣＰＵ２０によって出力されるデータを、メモリカード３１の空き領域に書き込む。
【００２９】
音声信号処理回路３４は、上述のような通話のための信号処理を実行する。なお、図３に示される例では、ＣＰＵ２０と音声信号処理回路３４とが別個の構成として示されているが、他の局面において、ＣＰＵ２０と音声信号処理回路３４とが一体として構成されていてもよい。
【００３０】
ディスプレイ３５は、タッチパネル式のディスプレイであるが、タッチパネルの機構は特に限られない。ディスプレイ３５は、ＣＰＵ２０から与えられるデータに基づいて、当該データによって規定される画像を表示する。
【００３１】
バックライト３９は、ＣＰＵ２０の制御に基づきディスプレイ３５を照明するための光源である。これにより、ユーザは、ディスプレイ３５に表示される画面を視認することができる。
【００３２】
ＬＥＤ３６は、ＣＰＵ２０からの信号に基づいて、予め定められた発光動作を実現する。データ通信Ｉ／Ｆ３７は、データ通信用のケーブルの装着を受け付ける。データ通信Ｉ／Ｆ３７は、ＣＰＵ２０から出力される信号を当該ケーブルに対して送出する。あるいは、データ通信Ｉ／Ｆ３７は、当該ケーブルを介して受信されるデータを、ＣＰＵ２０に対して送出する。
【００３３】
バイブレータ３８は、ＣＰＵ２０から出力される信号に基づいて、予め定められた周波数で発振動作を実行する。
【００３４】
＜機能構成＞
図４を参照して、携帯端末装置１００の機能構成について説明する。図４は、携帯端末装置１００の機能構成の具体例を示すブロック図である。
【００３５】
携帯端末装置１００は、操作部４００と、記憶部４１０と、制御部４２０と、光源４３０と、モニタ４４０とを備える。
【００３６】
制御部４２０は、第１設定部４２１と、第２設定部４２２と、算出部４２３と、時間制御部４２４と、第３設定部４２５とを備える。
【００３７】
操作部４００は、ユーザによる操作を検出して、検出した信号を制御部４２０に入力する。たとえば、操作部４００は、タッチパネルを含む。タッチパネルは、抵抗膜方式、表面弾性波方式、赤外線方式、電磁誘導方式、静電容量方式などのいずれのタイプであってもよい。
【００３８】
記憶部４１０は点灯時間４１１を格納する。点灯時間４１１は、時間制御部４２４により更新され、第３設定部４２５により参照される。
【００３９】
光源４３０の輝度値は、制御部４２０により制御される。また、光源４３０は、モニタ４４０を照明する。
【００４０】
操作部４００が携帯端末装置１００に対する操作を検出した場合には、第１設定部４２１は、光源４３０の輝度値を予め定められた第１の輝度値（全点灯）に設定する。たとえば、第１の輝度値は、携帯端末装置１００の設計時に設定される。また、第１の輝度値は、ユーザにより設定されてもよい。
【００４１】
操作部４００が携帯端末装置１００に対する操作を一定時間検出しない場合には、第２設定部４２２は、光源４３０の輝度値を、第１の輝度値よりも低い、第２の輝度値（微点灯）に設定する。たとえば、第２の輝度値は、携帯端末装置１００の設計時に設定される。また、第２の輝度値は、ユーザにより設定されてもよい。
【００４２】
算出部４２３は、携帯端末装置１００に対する操作の頻度を算出して、当該算出結果を時間制御部４２４に入力する。たとえば、算出部４２３は、一定時間に占める光源４３０の輝度が全点灯していた時間の割合に基づいて、当該操作の頻度を算出する。また、算出部４２３は、一定時間に占める光源４３０の輝度が消灯していた時間の割合に基づいて、当該操作の頻度を算出してもよい。さらに、算出部４２３は、操作部４００に対する一定時間当たりの操作の回数に予め定められた係数をかけることにより、当該操作の頻度を算出してもよい。たとえば、当該係数は、設計時に設定される。また、当該係数は、ユーザにより設定されてもよい。
【００４３】
当該操作の頻度が予め定められた頻度（以下、「第１操作頻度」という。）よりも高い場合には、時間制御部４２４は、一定時間または当該操作の頻度に応じた時間、点灯時間４１１を長くする。たとえば、第１操作頻度は、携帯端末装置１００の設計時に設定される。また、第１操作頻度は、ユーザにより設定されてもよい。
【００４４】
ある局面において、時間制御部４２４は、当該操作の頻度が高くなるにつれて点灯時間４１１を長くする。具体的には、時間制御部４２４は、点灯時間４１１を、当該操作の頻度に比例して長くする。
【００４５】
他の局面において、時間制御部４２４は、当該操作の頻度に応じて点灯時間４１１を段階的に長くする。具体的には、時間制御部４２４は、当該操作の頻度を複数の区間に分ける。また、時間制御部４２４は、操作の頻度が高い区間になるにつれて、当該区間ごとに定められた時間、点灯時間を長くする。たとえば、当該区間ごとに定められた時間は、設計時に設定される。また、当該区間ごとに定められた時間は、ユーザにより設定されてもよい。
【００４６】
また、当該操作の頻度が予め定められた頻度（以下、「第２操作頻度」という。）よりも低い場合には、時間制御部４２４は、一定時間または当該操作の頻度に応じた時間、点灯時間４１１を短くする。たとえば、第２操作頻度は、携帯端末装置１００の設計時に設定される。また、第２操作頻度は、ユーザにより設定されてもよい。
【００４７】
ある局面において、時間制御部４２４は、当該操作の頻度が低くなるにつれて点灯時間４１１を短くする。具体的には、時間制御部４２４は、当該操作の頻度に比例して点灯時間４１１を短くする。
【００４８】
他の局面において、時間制御部４２４は、当該操作の頻度が低くなるにつれて点灯時間４１１を段階的に短くしてもよい。具体的には、時間制御部４２４は、当該操作の頻度を複数の区間に分ける。また、時間制御部４２４は、操作の頻度が低い区間になるにつれて、当該区間ごとに定められた時間、点灯時間を短くする。たとえば、当該区間ごとに定められた時間は、設計時に設定される。また、当該区間ごとに定められた時間は、ユーザにより設定されてもよい。
【００４９】
第２設定部４２２が光源４３０の輝度値を微点灯に設定してから点灯時間４１１が経過した後に、第３設定部４２５は光源４３０を消灯する。ある局面において、第３設定部４２５は、光源４３０の輝度値を微点灯に設定してから段階的に下げて光源４３０を消灯する。また、第３設定部４２５は、光源４３０の輝度値を微点灯に設定してから線形的に下げて光源４３０を消灯してもよい。
【００５０】
＜光源の制御方法＞
図５を参照して、携帯端末装置１００における光源４３０の制御方法について説明する。図５は、光源４３０に対する制御方法の一態様を表す図である。
【００５１】
図５（Ａ）は、携帯端末装置１００に対する操作の頻度が図５（Ｂ）よりも高い場合における光源４３０の点灯の状態を示している。図５（Ａ）の時刻ｔ（５１）において、ユーザは、携帯端末装置１００に対する操作を中断する。時刻ｔ（５１）から時間Ｔ１が経過する間に携帯端末装置１００に対する操作が行われなければ、時刻ｔ（５２）において、第２設定部４２２は光源４３０を微点灯にする。また、時刻ｔ（５２）において、算出部４２３は、携帯端末装置１００に対する操作の頻度を算出する。
【００５２】
ある局面において、算出部４２３は、時刻ｔ（５２）から遡った時間Ｔ５の間に占める、光源４３０の輝度が全点灯であった時間の割合を算出する。たとえば、図５（Ａ）においては、当該割合は１００％である。時間制御部４２４は、当該割合に応じて、点灯時間４１１を更新する。一例として、当該割合が予め定められた値よりも高い場合には、時間制御部４２４は、点灯時間４１１を長くする。時刻ｔ（５２）から時間Ｔ６が経過する間に携帯端末装置１００に対する操作が行われなければ、時刻ｔ（５３）において、第３設定部４２５は光源４３０を消灯する。
【００５３】
図５（Ｂ）は、携帯端末装置１００に対する操作の頻度が図５（Ａ）よりも低い場合における光源４３０の点灯の状態を示している。時刻ｔ（５６）において、操作部４００が携帯端末装置１００に対する操作を検出し、第１設定部４２１は、光源４３０を全点灯にする。時刻ｔ（５１）において、ユーザは、携帯端末装置１００に対する操作を中断する。時刻ｔ（５１）から時間Ｔ１が経過する間に携帯端末装置１００に対する操作が行われなければ、時刻ｔ（５２）において、第２設定部４２２は、光源４３０を微点灯にする。また、時刻ｔ（５２）において、算出部４２３は、携帯端末装置１００に対する操作の頻度を算出する。
【００５４】
ある局面において、算出部４２３は、時刻ｔ（５２）から遡った時間Ｔ５の間に占める、光源４３０の輝度が全点灯であった時間の割合を算出する。たとえば、図５（Ｂ）においては、当該割合は約５０％である。時間制御部４２４は、当該割合に応じて、点灯時間４１１を更新する。一例として、当該割合が予め定められた値よりも低い場合には、時間制御部４２４は、点灯時間４１１を短くする。時刻ｔ（５２）から時間Ｔ７が経過する間に携帯端末装置１００に対する操作が行われなければ、時刻ｔ（５９）において、第３設定部４２５は光源４３０を消灯する。
【００５５】
携帯端末装置１００に対する図５（Ａ）に示される操作頻度が図５（Ｂ）に示される操作頻度よりも高いため、図５（Ａ）の点灯時間４１１は、図５（Ｂ）の点灯時間４１１よりも長くなる（Ｔ６＞Ｔ７）。
【００５６】
なお、算出部４２３が携帯端末装置１００に対する操作の頻度を算出する時機は、光源の輝度値が全点灯から微点灯になった時に限定されない。たとえば、当該時機は、光源が全点灯している時でもよい。
【００５７】
＜制御構造＞
図６を参照して、携帯端末装置１００の制御構造について説明する。図６は、携帯端末装置１００のＣＰＵ２０が実行する処理の一部を表わすフローチャートである。
【００５８】
ステップＳ６００において、ＣＰＵ２０は、携帯端末装置１００に対して一定時間内に操作が行われたか否かを判断する。ＣＰＵ２０は、当該操作が行われたと判断すると（ステップＳ６００においてＹＥＳ）、制御をステップＳ６１０に切り替える。そうでない場合には（ステップＳ６００においてＮＯ）、ＣＰＵ２０は、制御をステップＳ６２０に切り替える。
【００５９】
ステップＳ６１０において、ＣＰＵ２０は、第１設定部４２１として、光源４３０の輝度を全点灯に設定し、処理を終了する（図６の「エンド」）。
【００６０】
ステップＳ６２０において、ＣＰＵ２０は、第２設定部４２２として、光源４３０の輝度を微点灯に設定する。
【００６１】
ステップＳ６２１において、ＣＰＵ２０は、算出部４２３として、携帯端末装置１００に対する操作の頻度を算出する。ＣＰＵ２０は、時間制御部４２４として、当該操作の頻度に応じて、点灯時間４１１を更新する。
【００６２】
ステップＳ６２２において、ＣＰＵ２０は、光源４３０の輝度が微点灯になってから点灯時間４１１が経過したか否かを判断する。ＣＰＵ２０は、点灯時間４１１が経過したと判断すると（ステップＳ６２２においてＹＥＳ）、制御をステップＳ６４０に切り替える。そうでない場合には（ステップＳ６２２においてＮＯ）、ＣＰＵ２０は、制御をステップＳ６３０に切り替える。
【００６３】
ＣＰＵ２０は、ステップＳ６３０において、携帯端末装置１００に対して操作が行われた否かを判断する。当該操作が行われたと判断した場合には（ステップＳ６３０においてＹＥＳ）、ＣＰＵ２０は、制御をステップＳ６１０に切り替える。そうでない場合には（ステップＳ６３０においてＮＯ）、ＣＰＵ２０は、制御をステップＳ６２２に切り替える。
【００６４】
ステップＳ６４０において、ＣＰＵ２０は、第３設定部４２５として、光源４３０を消灯する。その後、ＣＰＵ２０は、処理を終了する（図６の「エンド」）。
【００６５】
以上のようにして、本実施の形態に係る携帯端末装置１００によれば、携帯端末装置１００の光源４３０の輝度が微点灯になってから消灯するまでの時間が、携帯端末装置１００に対する操作の頻度に応じて更新される。
【００６６】
このため、携帯端末装置１００に対して一定時間内に行われた操作の頻度が予め定められた頻度よりも高い場合には、携帯端末装置１００がロック状態になる頻度を低くすることができ、ユーザがロックを解除する手間を軽減することができる。
【００６７】
[第２の実施の形態]
以下、第２の実施の形態について説明する。本実施の形態に係る携帯端末装置は、ＣＰＵ２０が操作部に対する操作を許可するか禁止するかを切り替える点で第１の実施の形態の携帯端末装置と異なる。なお、本実施の形態に係る携帯端末装置のハードウェア構成は、第１の実施の形態に係る携帯端末装置と同様であるので、図３を用いて本実施の形態について説明する。
【００６８】
図３を参照して、ユーザインターフェイス２５は、携帯端末装置１００に対する操作を受け付ける。
【００６９】
ＲＯＭ２９は、ユーザインターフェイス２５に対する操作が可能な時間を規定する操作可能時間を格納する。操作可能時間は、フラッシュメモリ２７またはＲＡＭ２８に格納されていてもよい。
【００７０】
携帯端末装置１００に対して一定時間内に行われた操作の頻度が予め定められた頻度よりも高い場合には、ＣＰＵ２０は、一定時間または当該操作の頻度に応じた時間、上述した操作可能時間を長くする。また、携帯端末装置１００に対する操作が当該操作可能時間の間行われない場合には、ＣＰＵ２０は、ユーザインターフェイス２５に対する操作を禁止する。
【００７１】
別の局面において、携帯端末装置１００に対して一定時間内に行われた操作の頻度が予め定められた頻度よりも低い場合には、ＣＰＵ２０は、一定時間または当該操作の頻度に応じた時間、上述した操作可能時間を短くする。
【００７２】
以上のようにして、本実施の形態に係る携帯端末装置１００によれば、ユーザインターフェイス２５に対する操作が行われなくなってからユーザインターフェイス２５の操作を禁止するまでの時間が、携帯端末装置１００に対する操作の頻度に応じて更新される。
【００７３】
このため、携帯端末装置１００に対して一定時間内に行われた操作の頻度が予め定められた頻度よりも高い場合には、携帯端末装置１００がロック状態になる頻度を低くすることができ、ユーザがロックを解除する手間を軽減することができる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７５】
２０  ＣＰＵ、２３  アンテナ、２４  通信装置、２５  ユーザインターフェイス、２６  カメラ、２７  フラッシュメモリ、２８  ＲＡＭ、２９  ＲＯＭ、３０  メモリカード駆動装置、３１  メモリカード、３２  マイク、３３  スピーカ、３４  音声信号処理回路、３５  ディスプレイ、３６  ＬＥＤ、３７  データ通信Ｉ／Ｆ、３８  バイブレータ、３９  バックライト、１００  携帯端末装置、４００  操作部、４１０  記憶部、４１１  点灯時間、４２０  制御部、４２１  第１設定部、４２２  第２設定部、４２３  算出部、４２４  時間制御部、４２５  第３設定部、４３０  光源、４４０  モニタ、Ｔ１，Ｔ２，Ｔ３，Ｔ５，Ｔ６，Ｔ７  時間。
【図１】
2014138367.tif 000003
【図２】
2014138367.tif 000004
【図３】
2014138367.tif 000005
【図４】
2014138367.tif 000006
【図５】
2014138367.tif 000007
【図６】
2014138367.tif 000008